(57)【要約】【課題】斜材交差部に集中する雨水を受けて適切な場所へ誘導するとともに、鉄塔への取り付けや運搬が容易であり、かつ、安価に製造することが可能な鉄塔用雨水集排装置を提供する。【解決手段】鉄塔用雨水集排装置は、挿通孔２ｃ，２ｃと排水口２ｄ，２ｄが設けられた底板２ｂと側板２ａを有する箱形の集水部２と、排水口２ｄに上端１ａが集水部２の内部へ底板２ａの内面から１〜２ｃｍ程度突出するように接続される２本の排水パイプ１，１とからなり、挿通孔２ｃ，２ｃに斜材５２，５２が挿通されるようにして集水部２が斜材交差部５４の直下に配置されるとともに、排水パイプ１，１が斜材５２，５２に固定バンド３を用いて固定される。【選択図】図１
2013159914.tif 000002
【特許請求の範囲】
【請求項１】
隣り合う支柱同士を連結する鋼管製の斜材により形成される斜材交差部を有する鉄塔に対して用いられる鉄塔用雨水集排装置であって、
底板の周縁に沿って側板が立設されて箱形をなし、前記斜材交差部の直下に設置される集水部と、
この集水部の前記底板に設けられた排水口に一端が接続される排水パイプと、
を備え、
前記斜材交差部から下方へ延設される一対の前記斜材を挿通可能に前記集水部の前記底板に一対の挿通孔が設けられたことを特徴とする鉄塔用雨水集排装置。
【請求項２】
前記集水部は、
平面視矩形状をなし、平行な一組の辺に円弧状の第１の切り欠きがそれぞれ設けられる第１の底板と、この第１の底板の他の辺に沿って立設される一対の第１の側板を有する内側受け具と、
少なくとも一の辺が直線状をなし、この一の辺に円弧状の第２の切り欠きが設けられる第２の底板と、この第２の底板の他の辺に沿って立設される第２の側板を有し、前記第２の切り欠きが前記第１の切り欠きに対向するように前記内側受け具の両端にそれぞれ接続される２つの外側受け具と、からなり、
前記内側受け具の前記第１の側板及び前記第１の底板は、前記外側受け具の前記第２の側板及び前記第２の底板とともに、前記集水部の前記側板及び前記底板をそれぞれ形成し、
前記内側受け具の前記第１の切り欠きは、前記外側受け具の前記第２の切り欠きとともに前記集水部の前記挿通孔を形成し、
前記内側受け具の前記第１の底板及び前記外側受け具の前記第２の底板のいずれかに前記集水部の前記排水口が設けられたことを特徴とする請求項１記載の鉄塔用雨水集排装置。
【請求項３】
前記内側受け具は、
平面視矩形状をなし、一の辺に前記第１の切り欠きが設けられる第１の調節底板と、この第１の調節底板の前記一の辺に直交する一組の辺に沿って一対の第１の調節側板が立設される第１の調節具と、
平面視矩形状をなし、一の辺に前記第１の切り欠きが設けられる第２の調節底板と、この第２の調節底板の前記一の辺に直交する一組の辺に沿って一対の第２の調節側板が立設される第２の調節具と、
からなり、
前記第１の調節具の前記第１の調節側板及び前記第１の調節底板は、前記第２の調節具の前記第２の調節側板及び前記第２の調節底板とともに、前記内側受け具の前記第１の側板及び前記第１の底板をそれぞれ形成し、
前記第１の調節具は、前記一対の第１の調節側板の外面が前記第２の調節具の前記一対の第２の調節側板の内面に対してそれぞれ当接可能に形成されたことを特徴とする請求項２記載の鉄塔用雨水集排装置。
【請求項４】
前記内側受け具の前記第１の切り欠き及び前記外側受け具の前記第２の切り欠きのうち少なくともいずれか一方は、切り欠きが設けられた辺に直交する２つの直線部と、この２つの直線部の間に設けられる円弧部からなり、
前記内側受け具は、前記一対の第１の側板の内面が前記外側受け具の前記第２の側板の両端近傍の外面に対してそれぞれ当接可能に形成されたことを特徴とする請求項２又は請求項３に記載の鉄塔用雨水集排装置。
【請求項５】
前記内側受け具は、前記一対の第１の側板の内面が前記外側受け具の前記第２の側板の両端近傍の外面に対してそれぞれ当接可能に形成される代わりに、前記一対の第１の側板の外面が前記外側受け具の前記第２の側板の両端近傍の内面に対してそれぞれ当接可能に形成されたことを特徴とする請求項４記載の鉄塔用雨水集排装置。
【発明の詳細な説明】
【技術分野】
【０００１】
本発明は、鉄塔に取り付けられて使用される鉄塔用雨水集排装置に係り、特に、鉄塔を伝い落ちる雨水を受けて適切な場所へ誘導することで洗掘や表土の流出による敷地の荒廃を防ぐように構成された鉄塔用雨水集排装置に関する。
【背景技術】
【０００２】
鉄塔に降り注いだ雨水は、鉄塔を伝い落ちる間に集積されて、その脚部が設置された敷地の一部に集中して滴下若しくは流下する。鉄塔の中には、送電線を支持するために用いられるもののように、高さが数十ｍから数百ｍに及ぶものもある。このような大きな鉄塔では、結果として多量の雨水を捕捉してしまうため、その敷地は著しく荒廃する。
【０００３】
ここで、鉄塔によって捕捉された雨水の挙動について図８を用いて説明する。図８（ａ）は鉄塔に降り注いだ雨水の挙動を模式的に示した図であり、図８（ｂ）は図８（ａ）におけるＡ部を拡大した図である。また、図８（ｃ）は鉄塔が設置された敷地の状態を示す平面図である。
図８（ａ）に示すように、鉄塔５０は４本の支柱５１を連結する複数本の斜材５２や水平桁材５３などによって構成されている。鉄塔５０に降り注いだ雨水は、図８（ａ）及び図８（ｂ）に矢印で示すように、支柱５１から斜材５２へと伝い落ち、斜材交差部５４で合流した後、まとまった状態で地面５５へ滴下する。
この場合、図８（ａ）及び図８（ｃ）に領域Ｂとして示すように、雨水は隣り合う支柱５１，５１の間の特定の箇所に集中する。その結果、洗掘や表土の流出が起こり、土地が荒廃する。
このような課題に対処するもとのして、従来、鉄塔に降り注いだ雨水を受けて所定の場所へ排出する機能を備えた装置が提案されている。そして、それに関し、既にいくつかの発明や考案が開示されている。
【０００４】
例えば、特許文献１には、「鉄塔用雨水集排装置」という名称で、雨水が鉄塔設置領域の特定の箇所に集中して落下することを防止するとともに、鉄塔から落下する雨水の速度を抑制する装置に関する発明が開示されている。
特許文献１に開示された発明は、通風性を有し、下端部に集水部が設けられた滴下フェンス部が水平に対して傾斜した状態で鉄塔に取り付けられ、滴下フェンス部を流下して集水部に集められた水が排水部を通って鉄塔の敷地外の領域まで流される構造となっている。
このような構造によれば、鉄塔の敷地に多量の雨水が集中して落下若しくは流出することを回避して地面の変形等を防止することができる。
【０００５】
また、特許文献２には、「鉄塔流下雨水誘導装置」という名称で、鉄塔の主材部や斜材部の所要部所に設置して、これらの部分を流下する雨水を処理槽等へ誘導する装置に関する考案が開示されている。
特許文献２に開示された考案は、鉄塔の主材部や斜材部の外周面に当接する孤状壁部の上端に、半環状段部がそれぞれ形成された右半部材及び左半部材からなり、これらの部材のうちの一方の半環状段部に設けられた落流口には導管が接続されている。そして、これらの部材を鉄塔の主材部や斜材部の外周面に締めバンドを介して緊締することにより雨水集合誘導部を形成し、主材部や斜材部を伝い降りて雨水集合誘導部に貯まった雨水を導管を通して、別途設けられた処理槽等に送給する構造となっている。
このような構造によれば、鉄塔の脚部から多量の雨水が付近に流出することを未然に防止することができる。
【０００６】
さらに、特許文献３には、「送電線鉄塔直下への雨水集中防止装置」という名称で、鉄塔直下へ集中する雨水を分散させたり、害を及ぼさない位置へ導いたりするように構成された装置に関する考案が開示されている。
特許文献３に開示された考案は、鉄塔の下部に設置された漏斗状集水具で雨水を受け、その雨水を導管によって誘導し、安全な場所へ排出する構造となっている。このような構造によれば、雨水の集中落下による敷地の荒廃を防ぐことができる。
【先行技術文献】
【特許文献】
【０００７】
【特許文献１】特開２００６−３３６２１３号公報
【特許文献２】実開昭６２−１０３８８４号公報
【特許文献３】実開昭６０−２８１５６号公報
【発明の概要】
【発明が解決しようとする課題】
【０００８】
しかしながら、上述の従来技術である特許文献１に開示された発明においては、滴下フェンス部の網の目を雨水が通り抜けてしまう場合があった。また、滴下フェンス部は鉄塔に対して所定の角度をなすように傾斜して取り付けられるが、その傾斜角度が風の影響によって変化するおそれがあった。さらに、鉄塔により形状が異なるため、滴下フェンス部の設置場所が限定されるという課題があった。
【０００９】
次に、特許文献２に開示された考案は、１本の主材部や斜材部に装着される構造であるため、特に雨水が集中し易い斜材部の交差箇所において雨水を受けることができないという課題があった。また、主材部や斜材部は中空の鋼管からなり、上記の構造では、それらの内部を流れる雨水を受けることができないという課題があった。
【００１０】
また、特許文献３に開示された考案においては、鉄塔への取り付け方法が具体的に示されていないため、実現性に乏しいという課題があった。また、漏斗状集水具は分解可能な構造となっていないため、運搬が困難であるという課題があった。
【００１１】
本発明はかかる従来の事情に対処してなされたものであって、斜材交差部に集中する雨水を受けて適切な場所へ誘導するとともに、鉄塔への取り付けや運搬が容易であり、かつ、安価に製造することが可能な鉄塔用雨水集排装置を提供することを目的とする。
【課題を解決するための手段】
【００１２】
上記目的を達成するため、請求項１記載の発明は、隣り合う支柱同士を連結する鋼管製の斜材により形成される斜材交差部を有する鉄塔に対して用いられる鉄塔用雨水集排装置であって、底板の周縁に沿って側板が立設されて箱形をなし、斜材交差部の直下に設置される集水部と、この集水部の底板に設けられた排水口に一端が接続される排水パイプと、を備え、斜材交差部から下方へ延設される一対の斜材を挿通可能に集水部の底板に一対の挿通孔が設けられたことを特徴とするものである。
【００１３】
このような構造の鉄塔用雨水集排装置においては、鉄塔に降り注いだ雨水が斜材の外表面を伝い落ち、あるいは斜材の内部を流下して斜材交差部から集中して滴下した後、集水部で捕捉され、さらに、排水パイプにより集水部の外へ排出されるという作用を有する。また、底板の挿通孔に挿通される一対の斜材によって、集水部の移動が拘束されるという作用を有する。
【００１４】
また、請求項２に記載の発明は、請求項１記載の鉄塔用雨水集排装置において、集水部は、平面視矩形状をなし、平行な一組の辺に円弧状の第１の切り欠きがそれぞれ設けられる第１の底板と、この第１の底板の他の辺に沿って立設される一対の第１の側板を有する内側受け具と、少なくとも一の辺が直線状をなし、この一の辺に円弧状の第２の切り欠きが設けられる第２の底板と、この第２の底板の他の辺に沿って立設される第２の側板を有し、第２の切り欠きが第１の切り欠きに対向するように内側受け具の両端にそれぞれ接続される２つの外側受け具と、からなり、内側受け具の第１の側板及び第１の底板は、外側受け具の第２の側板及び第２の底板とともに、集水部の側板及び底板をそれぞれ形成し、内側受け具の第１の切り欠きは、外側受け具の第２の切り欠きとともに集水部の挿通孔を形成し、内側受け具の第１の底板及び外側受け具の第２の底板のいずれかに集水部の排水口が設けられたことを特徴とするものである。
【００１５】
このような構造の鉄塔用雨水集排装置においては、請求項１記載の発明の作用に加えて、集水部が３つの部材によって構成されており、分解した状態では嵩張らないという作用を有する。また、斜材を挟むようにその両側に配置した外側受け具と内側受け具を連結することにより、集水部が斜材に対して容易に装着されるという作用を有する。
【００１６】
さらに、請求項３に記載の発明は、請求項２に記載の鉄塔用雨水集排装置において、内側受け具は、平面視矩形状をなし、一の辺に第１の切り欠きが設けられる第１の調節底板と、この第１の調節底板の一の辺に直交する一組の辺に沿って一対の第１の調節側板が立設される第１の調節具と、平面視矩形状をなし、一の辺に第１の切り欠きが設けられる第２の調節底板と、この第２の調節底板の一の辺に直交する一組の辺に沿って一対の第２の調節側板が立設される第２の調節具と、からなり、第１の調節具の第１の調節側板及び第１の調節底板は、第２の調節具の第２の調節側板及び第２の調節底板とともに、内側受け具の第１の側板及び第１の底板をそれぞれ形成し、第１の調節具は、一対の第１の調節側板の外面が第２の調節具の一対の第２の調節側板の内面に対してそれぞれ当接可能に形成されたことを特徴とするものである。
【００１７】
このような構造の鉄塔用雨水集排装置においては、請求項２に記載の発明の作用に加えて、第２の調節具内に設置された第１の調節具を第１の調節底板が第２の調節底板に当接した状態で第２の調節具に対してスライドさせることにより、斜材が挿通される一対の挿通孔同士の距離が変化するという作用を有する。
【００１８】
請求項４に記載の発明は、請求項２又は請求項３に記載の鉄塔用雨水集排装置において、内側受け具の第１の切り欠き及び外側受け具の第２の切り欠きのうち少なくともいずれか一方は、切り欠きが設けられた辺に直交する２つの直線部と、この２つの直線部の間に設けられる円弧部からなり、内側受け具は、一対の第１の側板の内面が外側受け具の第２の側板の両端近傍の外面に対してそれぞれ当接可能に形成されたことを特徴とするものである。
【００１９】
このような構造の鉄塔用雨水集排装置においては、請求項２又は請求項３に記載の発明の作用に加えて、内側受け具内に設置された外側受け具を第２の側板が第１の底板に当接した状態で内側受け具に対してスライドさせることにより、斜材が挿通される挿通孔の外側受け具のスライド方向に平行な長さが変化するという作用を有する。
【００２０】
請求項５に記載の発明は、請求項４に記載の鉄塔用雨水集排装置において、内側受け具は、一対の第１の側板の内面が外側受け具の第２の側板の両端近傍の外面に対してそれぞれ当接可能に形成される代わりに、一対の第１の側板の外面が外側受け具の第２の側板の両端近傍の内面に対してそれぞれ当接可能に形成されたことを特徴とするものである。
【００２１】
このような構造の鉄塔用雨水集排装置においては、請求項２又は請求項３に記載の発明の作用に加えて、外側受け具内に設置された内側受け具を第１の側板が第２の底板に当接した状態で外側受け具に対してスライドさせることにより、斜材が挿通される挿通孔の内側受け具のスライド方向に平行な長さが変化するという作用を有する。
【発明の効果】
【００２２】
本発明の請求項１に記載の発明によれば、斜材交差部から集中して滴下する雨水を受けて適切な場所へ誘導し、鉄塔が設置された敷地の荒廃を防ぐことができる。また、鉄塔から外れてしまうおそれがないため、安全である。さらに、構造が簡単であるため、安価に製造することができる。
【００２３】
本発明の請求項２に記載の発明によれば、請求項１記載の効果に加えて、鉄塔への取り付けが容易であることから、設置作業に要するコストを削減できるという効果を奏する。また、集水部を分解すれば、嵩張らないため、運搬や保管が容易である。
【００２４】
本発明の請求項３に記載の発明によれば、請求項２に記載の発明の効果に加え、集水部を斜材に取り付ける鉛直方向の位置を調節できるという効果を奏する。
【００２５】
本発明の請求項４に記載の発明によれば、請求項２又は請求項３に記載の発明の効果に加えて、斜材の傾斜に応じて集水部に設けられた挿通孔の大きさを調節できるという効果を奏する。この場合、鉄塔ごとに集水部を個別設計する必要がないため、安価に製造することができる。
【００２６】
本発明の請求項５に記載の発明によれば、請求項４に記載の発明と同様の効果を奏する。
【図面の簡単な説明】
【００２７】
【図１】（ａ）及び（ｂ）はそれぞれ本発明の実施の形態に係る鉄塔用雨水集排装置の実施例の外観斜視図及び鉄塔に取り付けられた状態を示す模式図である。
【図２】（ａ）及び（ｂ）はそれぞれ本実施例の鉄塔用雨水集排装置の平面図及び正面図である。
【図３】（ａ）及び（ｂ）はそれぞれ図１に示した鉄塔用雨水集排装置において集水部を構成する外側受け具及び内側受け具の平面図及び正面図である。
【図４】（ａ）は鉄塔に外側受け具及び調節具を取り付けた状態を示す模式図であり、（ｂ）は図４（ａ）に示した外側受け具及び調節具の平面図である。
【図５】（ａ）は鉄塔に外側受け具及び内側受け具を取り付けた状態を示す模式図であり、（ｂ）は図５（ａ）に示した外側受け具及び内側受け具の平面図である。
【図６】（ａ）は鉄塔に集水部を取り付けた状態を示す模式図であり、（ｂ）は図６（ａ）に示した集水部の平面図である。
【図７】（ａ）及び（ｂ）は本実施例の鉄塔用雨水集排装置が鉄塔に取り付けられた状態を示す模式図である。
【図８】（ａ）は鉄塔に降り注いだ雨水の挙動を模式的に示した図であり、（ｂ）は図８（ａ）におけるＡ部を拡大した図であり、（ｃ）は鉄塔が設置された敷地の状態を示す平面図である。
【発明を実施するための形態】
【００２８】
本発明の鉄塔用雨水集排装置は、ボルト等で接合された複数本の鋼管からなり、隣り合う支柱同士を連結する斜材により形成される斜材交差部を有する鉄塔に対して用いられるものである。なお、鉄塔の上部では斜材を伝い落ちる雨水が風によって吹き飛ばされて拡散し、斜材交差部に集中する量が少ない。
そのため、本実施例では鉄塔用雨水集排装置が鉄塔の最下部から２〜３段目の高さに設置された場合を想定して、本発明の構造及びその作用・効果について図１乃至図７を参照しながら具体的に説明する。
【実施例】
【００２９】
本実施例の鉄塔用雨水集排装置の構造について図１乃至図３を用いて説明する。なお、図１（ａ）は本実施例の鉄塔用雨水集排装置の外観斜視図であるが、斜材５２に対する取り付け状態を説明するために、斜材５２を破線で示している。また、後述するように集水部は４つの部材によって構成されるが、図１（ａ）及び図１（ｂ）ではそれらに関する詳細な図示を省略している。さらに、図８に示した構成要素については同一の符号を付して、その説明を省略する。
【００３０】
図１（ａ）に示すように、本実施例の鉄塔用雨水集排装置は、２本の排水パイプ１，１と、側板２ａと底板２ｂを有し、この排水パイプ１，１が接続される箱形の集水部２からなる。
集水部２の底板２ａには、斜材５２，５２が挿通される挿通孔２ｃ，２ｃと、排水口２ｄ，２ｄがそれぞれ設けられており、排水口２ｄ，２ｄには、上端１ａが集水部２の内部へ底板２ａの内面から１〜２ｃｍ程度突出するように排水パイプ１，１がそれぞれ挿通されている。
なお、このような構造によれば、雨水が常時、集水部２に貯まるため、営巣を防止することができる。
【００３１】
図１（ｂ）に示すように、鉄塔用雨水集排装置は鉄塔５０に対し、集水部２が斜材交差部５４の直下に配置されるとともに、排水パイプ１，１が斜材交差部５４から下方へ延設される２本の斜材５２，５２に沿って配置されるように取り付けられる。そして、集水部２の底板２ａに設けられた挿通孔２ｃ，２ｃには、これら２本の斜材５２，５２が挿通され、排水パイプ１，１は、これらの斜材５２，５２に対して固定バンド３を用いて固定される。
【００３２】
図２及び図３に示すように、集水部２は調節具５，６からなる内側受け具４と、外側受け具７，８によって構成されており、これら４つの部材はボルト及びナットからなる締結具９を用いて互いに締結されている。
すなわち、調節具５，６の調節側板５ａ，６ａ及び調節底板５ｂ，６ｂがそれぞれ内側受け具４の側板４ａ及び底板４ｂを形成し、内側受け具４の側板４ａ及び底板４ｂと外側受け具７，８の側板７ａ，８ａ及び底板７ｂ，８ｂがそれぞれ集水部２の側板２ａ及び底板２ｂを形成している。
【００３３】
調節具５の調節底板５ｂは平面視略矩形状をなし、平行な一組の辺に調節側板５ａ，５ａが対向して立設されるとともに、他の一組の辺の一方には、調節側板５ａに平行な２つの直線部１０ａ，１０ａと、この直線部１０ａ，１０ａの間に設けられる円弧部１０ｂからなる切り欠き５ｃが設けられ、切り欠き５ｃの近傍には排水パイプ１が接続される排水口２ｄが設けられている。
また、調節側板５ａ，５ａの切り欠き５ｃ側の端部近傍には長孔９ｂ，９ｂが調節底板５ｂに沿って長く形成され、他方の端部近傍には締結具９を挿通するための挿通孔９ｃ，９ｃが設けられている。
【００３４】
また、調節具６の調節底板６ｂは平面視略矩形状をなし、平行な一組の辺に調節側板６ａ，６ａが対向して立設されるとともに、他の一組の辺の一方には、調節側板６ａに平行な２つの直線部１１ａ，１１ａと、この直線部１１ａ，１１ａの間に設けられる円弧部１１ｂからなる切り欠き６ｃが設けられ、切り欠き６ｃの近傍には排水パイプ１が接続される排水口２ｄが設けられている。
さらに、調節側板６ａ，６ａの両端近傍には長孔９ｄ，９ｄ及び長孔９ｅ，９ｅが調節底板６ｂに沿って長く形成されている。
【００３５】
外側受け具７，８の底板７ｂ，８ｂは平面視略半円状をなし、直線状の辺に円弧状の切り欠き７ｃ，８ｃがそれぞれ設けられるとともに、円弧状の周縁に側板７ａ，８ａがそれぞれ立設されている。また、側板７ａ，８ａの両端近傍には締結具９を挿通するための挿通孔９ａ，９ａ及び挿通孔９ｆ，９ｆがそれぞれ設けられている。
すわなち、外側受け具７の切り欠き７ｃ及び調節具５の切り欠き５ｃと、調節具６の切り欠き６ｃ及び外側受け具８の切り欠き８ｃは、それぞれ斜材５２，５２が挿通される挿通孔２ｃ，２ｃを形成する。
【００３６】
調節具５は、内部に外側受け具７を設置可能に、調節側板５ａ，５ａの内面間の距離が外側受け具７の幅（側板７ａの両端近傍の外面間の距離）よりも広く形成されている。
そして、切り欠き７ｃと切り欠き５ｃが対向するように、外側受け具７を調節具５の内部に設置した場合、外側受け具７の挿通孔９ａ，９ａと調節具５の長孔９ｂ，９ｂが締結具９を挿通可能にそれぞれ連通するとともに、調節具５の調節側板５ａ，５ａ及び調節底板５ｂが外側受け具７の側板７ａの両端近傍と底板７ｂに対してそれぞれ同時に当接する構造となっている。
【００３７】
同様に、調節具６は、内部に外側受け具８を設置可能に、調節側板６ａ，６ａの内面間の距離が外側受け具８の幅（側板８ａの両端近傍の外面間の距離）よりも広く形成されている。
そして、切り欠き６ｃと切り欠き８ｃが対向するように、外側受け具８を調節具６の内部に設置した場合、外側受け具８の挿通孔９ｆ，９ｆと調節具６の長孔９ｅ，９ｅが締結具９を挿通可能にそれぞれ連通するとともに、外側受け具８の側板８ａの両端近傍及び底板８ｂが調節具６の調節側板６ａ，６ａ及び調節底板６ｂに対してそれぞれ同時に当接する構造となっている。
【００３８】
また、調節具６は、調節具５の内部へ設置可能に、調節側板６ａ，６ａの外面間の距離が調節具５の調節側板５ａ，５ａの内面間の距離よりも狭く形成されている。
そして、切り欠き５ｃが設けられていない端部５ｄの側から、切り欠き６ｃが設けられていない端部６ｄを挿入するようにして調節具５の内部へ調節具６を設置した場合、調節具５の挿通孔９ｃ，９ｃと調節具６の長孔９ｄ，９ｄが締結具９を挿通可能にそれぞれ連通するとともに、調節具６の調節側板６ａ，６ａ及び調節底板６ｂが調節具５の調節側板５ａ，５ａ及び調節底板５ｂに対してそれぞれ同時に当接する構造となっている。
【００３９】
次に、本実施例の鉄塔用雨水集排装置を鉄塔５０に取り付ける手順について図４乃至図７を用いて説明する。なお、図１乃至図３及び図８に示した構成要素については同一の符号を付して、その説明を省略する。
図４（ａ）に示すように、まず、交差部５４から下方に延設される斜材５２，５２の一方の両側に、切り欠き５ｃ，７ｃが対向するように外側受け具７及び調節具５を配置する。
次に、切り欠き７ｃ側の外側受け具７の端部７ｄを調節具５の内部に挿入配置し、略水平状態を保ちながら外側受け具７と調節５の間隔を調節する。
そして、斜材５２の外周面に切り欠き５ｃ及び切り欠き７ｃを密着させた状態で、挿通孔９ａ（図３（ｂ）参照）と長孔９ｂに挿通させた締結具９を締め付けて、図４（ｂ）に示すように、外側受け具７と調節具５を一体化する。これにより、外側受け具７と調節具７は略水平状態を保ったまま、斜材５２に装着される。
【００４０】
次に、図５（ａ）に示すように、切り欠き５ｃが設けられていない側の端部５ｄから調節具５の内部へ、切り欠き６ｃが設けられていない側の調節具６の端部６ｄを挿入配置し、挿通孔９ｃ（図３（ｂ）参照）と長孔９ｄに挿通させた締結具９を締め付けて、図５（ｂ）に示すように、調節具５，６を一体化する。
これにより、調節具５，６からなる内側受け具４と、この内側受け具４に接続される外側受け具７の斜材５２への取り付けが完了する。
【００４１】
図６（ａ）に示すように、外側受け具７及び調節具５が装着されていない方の斜材５２を挟んで、調節具６の切り欠き６ｃに切り欠き８ｃが対向するように外側受け具８を配置する。
次に、切り欠き８ｃ側の外側受け具８の端部８ｄを調節具６の内部に挿入配置するとともに、挿通孔９ｃと長孔９ｄに挿通させた締結具９を緩めた後、略水平状態を保ちながら調節具６と外側受け具８の間隔を調節する。
そして、斜材５２の外周面に切り欠き６ｃ及び切り欠き８ｃを密着させた状態で、挿通孔９ｆ（図３（ｂ）参照）と長孔９ｅに挿通させた締結具９及び挿通孔９ｃと長孔９ｄに挿通させた締結具９をそれぞれ締め付けて、図６（ｂ）に示すように、調節具６と外側受け具８を一体化する。これにより、調節具５，６からなる内側受け具４と、この内側受け具４に接続される外側受け具７，８の斜材５２，５２への取り付けが完了する。
【００４２】
最後に、図７（ａ）に示すように、斜材５２，５２に装着されて斜材交差部５４の直下に配置された集水部２に対して排水パイプ１，１を接続するとともに、固定バンド３を用いて排水パイプ１，１を斜材５２，５２にそれぞれ固定する。
なお、排水パイプ１には複数の排水孔１ｂが、下方に向かうにつれてサイズが順次大きくなるように設けられている。
【００４３】
このような構造の鉄塔用雨水集排装置においては、鉄塔５０に降り注いだ雨水が斜材５２の外表面を伝い落ち、あるいは斜材５２の内部を流下して斜材交差部５４から集中して滴下した後、集水部２で捕捉され、さらに、排水パイプ１，１により集水部２の外へ排出されるという作用を有する。そして、排水パイプ１は内部を流れる雨水を下端１ｃ（図１（ｂ）参照）が設置された場所まで誘導して流下させるとともに、途中に設けられた複数の排水孔１ｂを通して分散しつつ滴下させるという作用を有する。これにより、斜材交差部５４から雨水が集中して滴下するという事態が防止される。従って、鉄塔５０が設置された敷地の荒廃を防ぐことができる。
【００４４】
また、集水部２は、底板２ｂの挿通孔２ｃ，２ｃに一対の斜材５２，５２が挿通される構造であるため、斜材５２，５２によって横方向だけでなく、高さ方向に対しても移動が拘束される。従って、鉄塔から外れてしまうおそれがなく、安全である。加えて、構造が簡単であるため、安価に製造することが可能である。  
そして、集水部２は４つの部材によって構成されており、分解した状態では嵩張らないため、運搬や保管が容易である。さらに、斜材５２，５２を挟むようにその両側に配置された外側受け具７，８と内側受け具４を連結することにより、集水部２を斜材５２，５２に対して簡単に装着することができる。従って、本発明の鉄塔用雨水集排装置においては、設置作業に要するコストを削減することが可能である。
また、調節具５の内部に設置された調節具６を調節底板６ｂが調節底板５ｂに当接した状態で調節具５に対してスライドさせることにより、斜材５２，５２が挿通される挿通孔２ｃ，２ｃの間の距離が変化するため、集水部２を斜材５２，５２に取り付ける鉛直方向の位置を容易に調節することができる。
【００４５】
加えて、調節具５の内部に設置された外側受け具７又は調節具６の内部に設置された外側受け具８をスライドさせると、切り欠き７ｃ，８ｃ間の距離が変化し、挿通孔２ｃ，２ｃの大きさ（外側受け具７，８のスライド方向に沿った挿通孔２ｃ，２ｃの長さ）が変化する。すなわち、斜材５２，５２の傾斜に応じて挿通孔２ｃ，２ｃの大きさを調節できるため、鉄塔５０ごとに集水部２を個別設計する必要がない。従って、本発明の鉄塔用雨水集排装置によれば、安価に製造することが可能である。
【００４６】
なお、本発明の構造は本実施例に示した場合に限定されるものではない。例えば、鉄塔用雨水集排装置の設置箇所は鉄塔の最下部から２〜３段目の高さに限らず、適宜変更可能である。また、排水パイプ１が接続される排水口２ｄは内側受け具４の代わりに、外側受け具７，８に設けられていても良い。さらに、排水パイプ１の本数は２本に限らず、１本であっても良いし、３本以上であっても良い。
そして、排水パイプ１を集水部２の内部へ突出させる長さは底板２ａの内面から１〜２ｃｍ程度に限定されるものではなく、適宜変更可能である。また、排水パイプ１を底板２ａから集水部２の内部へ突出させる代わりに、集水部２の上部を網で覆うことにより、営巣を防止する構造とすることもできる。
【００４７】
外側受け具７，８の底板７ｂ，８ｂは平面視略半円状以外の形状であっても良い。また、外側受け具７，８を調節具５，６の内部へ設置可能な構造とする代わりに、調節具５，６を外側受け具７，８の内部へ設置可能な構造としても良い。そして、調節具６を調節具５の内部へ設置可能な構造とする代わりに、調節具６の内部へ調節具５を設置可能な構造とすることもできる。
さらに、切り欠き７ｃ，８ｃが円弧状に形成され、切り欠き５ｃ，６ｃが直線部１０ａ，１１ａ及び円弧部１０ｂ，１１ｂによって構成される代わりに、切り欠き７ｃ，８ｃ及び切り欠き５ｃ，６ｃのうち、少なくともいずれか一方が直線部１０ａ，１１ａ及び円弧部１０ｂ，１１ｂによって構成されていても良い。
【００４８】
また、集水部２の排水口２ｄから排水パイプ１へ排出された雨水を途中から滴下させずに下端１ｃまで誘導した方が良い場合には、排水パイプ１に排水孔１ｂを設けなくとも良い。さらに、締結具９はボルトやナットに限らない。すなわち、挿通孔９ａや長孔９ｂ等から不用意に外れないものであれば良いため、両端に突起部を有する棒状体、あるいは紐状体を用いることもできる。
【産業上の利用可能性】
【００４９】
本発明の請求項１乃至請求項５に記載された発明は、送電線を支持する鉄塔に限らず、各種の鉄塔に対して適用可能である。
【符号の説明】
【００５０】
１…排水パイプ  １ａ…上端  １ｂ…排水孔  １ｃ…下端  ２…集水部  ２ａ…側板  ２ｂ…底板  ２ｃ…挿通孔  ２ｄ…排水口  ３…固定バンド  ４…内側受け具  ４ａ…側板  ４ｂ…底板  ５，６…調節具  ５ａ，６ａ…調節側板  ５ｂ，６ｂ…調節底板  ５ｃ、６ｃ…切り欠き  ５ｄ，６ｄ…端部  ７，８…外側受け具  ７ａ，８ａ…側板  ７ｂ，８ｂ…底板  ７ｃ，８ｃ…切り欠き  ７ｄ，８ｄ…端部  ９…締結具  ９ａ…挿通孔  ９ｂ…長孔  ９ｃ…挿通孔  ９ｄ，９ｅ…長孔  ９ｆ…挿通孔  １０ａ…直線部  １０ｂ…円弧部  １１ａ…直線部  １１ｂ…円弧部  １２…貫通孔  ５０…鉄塔  ５１…支柱  ５２…斜材  ５３…水平桁材  ５４…斜材交差部  ５５…地面    
【図１】
2013159914.tif 000003
【図２】
2013159914.tif 000004
【図３】
2013159914.tif 000005
【図４】
2013159914.tif 000006
【図５】
2013159914.tif 000007
【図６】
2013159914.tif 000008
【図７】
2013159914.tif 000009
【図８】
2013159914.tif 000010